(57)【要約】【課題】ブラウザ機能を持たない電子機器は、認証用ゲートウェイを介してインターネットに接続できないという課題がある。【解決手段】認証要求への応答に応じてインターネットへの接続の可否を判断するゲートウェイ１０３を介して、インターネット上のサーバー１０５と接続する第１の電子機器１０１と、第１の電子機器１０１に接続される第２の電子機器１０２とからなる通信システムであって、第１の電子機器１０１は、サーバー１０５及び第２の電子機器１０２との間で情報のやりとりを行う通信制御部と、第２の電子機器１０２からの通信要求を、当該第１の電子機器１０１が有する物理アドレスを用いて、ゲートウェイ１０３に送信する転送制御部とを備える。【選択図】図１
2011134032.tif 000002
【特許請求の範囲】
【請求項１】
認証要求への応答に応じてインターネットへの接続の可否を判断するゲートウェイを介して、インターネット上のサーバーと接続する第１の電子機器と、前記第１の電子機器に接続される第２の電子機器とからなる通信システムであって、
前記第１の電子機器は、
前記サーバー及び前記第２の電子機器との間で情報のやりとりを行う通信制御部と、
前記第２の電子機器からの通信要求を、当該第１の電子機器が有する物理アドレスを用いて、前記ゲートウェイに送信する転送制御部と、
を備え、
前記第２の電子機器は、
前記第１の電子機器との間で情報のやりとりを行う通信制御部と、
前記第１の電子機器を介して、前記ゲートウェイからの認証要求に対して応答するブラウザと、
を備える通信システム。
【請求項２】
前記ブラウザは、
前記ゲートウェイからのブラウザ認証画面に対して応答する
請求項１に記載の通信システム。
【請求項３】
前記ブラウザは、
前記ブラウザ認証画面上で、認証識別情報及びパスワードを受け付ける
請求項２に記載の通信システム。
【請求項４】
認証要求への応答に応じてインターネットへの接続の可否を判断するゲートウェイを介して、インターネット上のサーバーと接続する電子機器であって、
前記サーバー及び第２の電子機器との間で情報のやりとりを行う通信制御部と、
前記第２の電子機器からの通信要求を、当該第１の電子機器が有する物理アドレスを用いて、前記ゲートウェイに送信する転送制御部と、
を備える電子機器。
【発明の詳細な説明】
【技術分野】
【０００１】
本発明は、認証が必要なゲートウェイを介してインターネットに接続する通信システム及び電子機器に関するものである。
【背景技術】
【０００２】
近年、カメラやビデオカメラ等の撮像装置が、インターネットに接続される機会が増えている。撮像装置で撮像された静止画や動画が、インターネット上のサーバーに送信され、格納される。
【０００３】
ホテルやホットスポット等のネットワーク環境において、端末をインターネットへ接続する際には、電子機器は、ゲートウェイとの間でブラウザを用いた認証処理が行われる。電子機器は、認証処理が完了した後に、インターネットへの接続が許可される。
【０００４】
しかしながら、ビデオカメラ等の撮像装置は、ゲートウェイとの間で認証処理を行うために必要なブラウザを搭載しておらず、ホテル等のネットワーク環境では、インターネットに接続できないという課題がある。
【０００５】
ブラウザ機能を有しない電子機器を用いてインターネットへ接続する技術として、特許文献１に開示の技術がある。特許文献１のディスプレイ端末は、所定期間毎に無線ＬＡＮを介して無線ＬＡＮアクセスポイントに接続するアクセスポイント接続手段と、無線ＬＡＮアクセスポイントに接続したときに、所定の端末情報を認証サーバーに提示して、無線ＬＡＮを介してインターネットに接続するための無線ＬＡＮへの接続認証の可否を確認する認証確認手段と、認証サーバーにより認証され無線ＬＡＮへの接続が許可された後、インターネットに接続するインターネット接続手段と、を備える。
【０００６】
これにより、ブラウザ機能を保持しないディスプレイ端末は、省電力を維持しつつ認証が必要な無線ＬＡＮとの接続を断続的、もしくは継続的に行うことができる。
【先行技術文献】
【特許文献】
【０００７】
【特許文献１】特開２００７−３１０７３８号公報
【発明の概要】
【発明が解決しようとする課題】
【０００８】
しかしながら、上記ディスプレイ端末は、所定期間毎に無線ＬＡＮへ接続する機能、及び接続したときに端末情報を提示する機能を新たに設ける必要がある。さらに、無線ＬＡＮの接続形態によって、提示が求められる端末情報の形式が異なり、接続形態毎に、異なる端末情報を提示する必要があり、ディスプレイ端末での処理が複雑になるという課題がある。
【課題を解決するための手段】
【０００９】
上記課題を解決するために、本発明の通信システムは、認証要求への応答に応じてインターネットへの接続の可否を判断するゲートウェイを介して、インターネット上のサーバーと接続する第１の電子機器と、前記第１の電子機器に接続される第２の電子機器とからなる通信システムであって、前記第１の電子機器は、前記サーバー及び前記第２の電子機器との間で情報のやりとりを行う通信制御部と、前記第２の電子機器からの通信要求を、当該第１の電子機器が有する物理アドレスを用いて、前記ゲートウェイに送信する転送制御部と、を備え、前記第２の電子機器は、前記第１の電子機器との間で情報のやりとりを行う通信制御部と、前記第１の電子機器を介して、前記ゲートウェイからの認証要求に対して応答するブラウザと、を備える。
【発明の効果】
【００１０】
上記の構成によって、第１の電子機器は、認証用のゲートウェイを介してインターネットに接続するにあたり、ブラウザ機能やインターネット接続用のユーザーインターフェース機能を搭載する必要がなくなり、コストダウンや開発期間の短縮を図ることが可能となる。
【図面の簡単な説明】
【００１１】
【図１】実施の形態１における通信システムの構成を示すブロック図
【図２】実施の形態１における機器Ａの構成を示すブロック図
【図３】実施の形態１における機器Ｂの構成を示すブロック図
【図４】実施の形態１における通信システムの動作を示すフローチャート
【発明を実施するための形態】
【００１２】
以下、実施の形態について、図面を用いて詳細に説明する。
【００１３】
（実施の形態１）
（１−１．通信システムの構成）
以下、図１を用いて実施の形態１における通信システムのシステム構成について説明する。
【００１４】
図１は、例えばホテルの客室において、機器Ａ１０１をＬＡＮコネクタに接続してインターネット上のサーバー１０５と通信する場合の構成に相当する。機器Ａ１０１はゲートウェイ１０３に接続され、その後インターネット１０４を介してサーバー１０５に接続される。
【００１５】
また、機器Ｂ１０２は機器Ａ１０１に無線ＬＡＮを経由して接続される。
【００１６】
機器Ａ１０１はビデオカメラのような機器であり、パソコンのようなインターネット接続に適したユーザーインターフェースを持たないものである。したがって、機器Ａ１０１は、後述のゲートウェイ１０３による認証確認画面を用いた認証に応答できず、機器Ａ１０１単独では、インターネット１０４を介してサーバー１０５に接続できない。
【００１７】
ゲートウェイ１０３は、ローカルＬＡＮに接続された機器をインターネットに接続するための中継器である。またゲートウェイ１０３は同時にローカルＬＡＮ側から接続要求を行った機器の認証や、必要に応じて課金処理の手続きを行う機能を有している。ゲートウェイ１０３は、ローカルＬＡＮ側から接続要求を行った機器に対して、認証を行い、認証ＯＫの機器については、インターネット１０４への接続を許可するが、認証ＮＧの機器については、インターネット１０４への接続を認めない。
【００１８】
サーバー１０５はインターネットを経由してＦＴＰ（Ｆｉｌｅ  Ｔｒａｎｓｆｅｒ  Ｐｒｏｔｏｃｏｌ）で接続されるもので、例えば放送局内において映像コンテンツを格納するものである。
【００１９】
機器Ｂ１０２はＰＤＡ（Ｐｅｒｓｏｎａｌ  Ｄｉｇｉｔａｌ  Ａｓｓｉｓｔａｎｔ）などインターネット接続を主な用途とする機器である。機器Ｂ１０２は、機器Ａ１０１をインターネットに接続する際に必要な認証などの操作を代わりに行う。
【００２０】
（１−２．機器Ａの構成）
機器Ａ１０１は、ＦＴＰクライアント２０１、ファイル格納部２０２、Ｐｒｏｘｙサーバー部２０３、有線ＬＡＮ制御部２０４、無線ＬＡＮ制御部２０５、および操作部２０６から構成される。
【００２１】
ＦＴＰクライアント２０１は、サーバー１０５にファイル格納部２０２内のデータをＦＴＰ（Ｆｉｌｅ  Ｔｒａｎｓｆｅｒ  Ｐｒｏｔｏｃｏｌ）を用いて転送するための機能を有する。有線ＬＡＮ制御部２０４は、ＦＴＰクライアント２０１やＰｒｏｘｙサーバー部２０３の要求をゲートウェイ１０３に送出する機能を持つ。無線ＬＡＮ制御部２０５は、機器Ｂ１０２からの接続要求を受け付ける機能を持つ。Ｐｒｏｘｙサーバー部２０３は、無線ＬＡＮ制御部２０５で受信した接続要求を有線ＬＡＮ制御部２０４に転送する機能を持つ。その際、有線ＬＡＮ制御部２０４から送出される接続要求は有線ＬＡＮ側のＭＡＣアドレスに変換される。従ってゲートウェイ１０３では、機器Ｂ１０２からの接続要求は機器Ａ１０１からの接続要求として受信される。
【００２２】
操作部２０６は、簡単なボタンやモニターで構成され、ＦＴＰクライアント２０１の操作やＰｒｏｘｙサーバー部２０３の起動などの操作をユーザーが指示するためのものである。通常、操作部２０６は、複数のボタンと小型のモニターとで構成されており、ポインティングデバイスやキーボードを備えていないため、ブラウザの操作は困難である。
【００２３】
なお、本実施の形態においては、ＦＴＰクライアント２０１、およびＰｒｏｘｙサーバー部２０３は機器Ａ１０１の起動と共に動作を開始するものではなく、ユーザーが操作部２０６を操作することで動作を開始する。
【００２４】
（１−３．機器Ｂの構成）
機器Ｂ１０２はＰＤＡなどの機器で、ブラウザ３０１、および無線ＬＡＮ制御部３０２を持つ。ブラウザ３０１は、ＷＥＢページを表示するための機能を有し、それに適したユーザーインターフェースを備えている。無線ＬＡＮ制御部３０２は、無線を利用してＬＡＮに接続する機能を持ち、無線経由のデータをブラウザ３０１に転送し、ブラウザの要求を無線ＬＡＮに転送する機能を持つ。
【００２５】
（２．通信システムの動作）
図４を用いて、実施の形態１における通信システムの動作の流れを説明する。
【００２６】
ユーザーが操作部２０６を操作することにより、機器Ａ１０１内でＰｒｏｘｙサーバー部２０３が起動される（Ｓ４０１）。また、ユーザーは、機器Ｂ１０２においてブラウザ３０１の設定機能により、Ｐｒｏｘｙサーバーを有効にして、かつＰｒｏｘｙサーバーとして機器Ａ１０１のアドレスを設定する（Ｓ４０２）。なおＳ４０１とＳ４０２の動作は前後しても構わない。
【００２７】
次に、ユーザーは、機器Ｂ１０２でブラウザ３０１を起動し、インターネットへの接続操作（Ｓ４０３）を行うと、機器Ｂ１０２からの接続要求は機器Ａ１０１のＰｒｏｘｙサーバー部２０３を経由してゲートウェイ１０３に送信される。ゲートウェイ１０３は接続要求を行う機器のＭＡＣアドレスに基づいて認証済みか否かを判定するが、最初の接続要求は未認証の機器からのものとみなして、インターネットには接続せず、認証用のＷＥＢページを返信する。この結果ブラウザ３０１には認証用の画面が表示されるので、ユーザーは必要に応じてＩＤやパスワードを入力し、認証操作を行う（Ｓ４０４）。
【００２８】
認証操作による送信データは、機器Ａ１０１の無線ＬＡＮ制御部２０５、Ｐｒｏｘｙサーバー部２０３、および有線ＬＡＮ制御部２０４を経由してゲートウェイ１０３に送信される。これによりゲートウェイ１０３は機器Ａ１０１のＭＡＣアドレスを認証済みの機器と判断するため、それ以後は機器Ａ１０１において操作部２０６の操作だけでＦＴＰクライアント２０１からサーバー１０５への接続が可能となり、データの転送を行うことができる（Ｓ４０５）。
【００２９】
（３．まとめ）
以上、本実施の形態の通信システムは、認証要求への応答に応じてインターネットへの接続の可否を判断するゲートウェイ１０３を介して、インターネット上のサーバー１０５と接続する機器Ａ１０１と、機器Ａ１０１に接続される機器Ｂ１０２とからなる通信システムであって、機器Ａ１０１は、サーバー１０５との間で情報のやりとりを行う有線ＬＡＮ制御部２０４と、機器Ｂ１０２との間で情報のやりとりを行う無線ＬＡＮ制御部２０５と、機器Ｂ１０２からの通信要求を、機器Ａ１０１が有する物理アドレスを用いて、ゲートウェイ１０３に送信するＰｒｏｘｙサーバー部２０３と、を備え、機器Ｂ１０２は、機器Ａ１０１との間で情報のやりとりを行う無線ＬＡＮ制御部３０２と、機器Ａ１０１を介して、ゲートウェイ１０３からの認証要求に対して応答するブラウザ３０１と、を備えることにより、機器Ａ１０１においてブラウザ機能や、インターネット接続用のユーザーインターフェース機能を搭載することなしに、ブラウザ機能を有する汎用のＰＣやＰＤＡである機器Ｂ１０２を機器Ａ１０１に接続し、機器Ｂ１０２を用いた認証画面に対する応答を、機器Ａ１０１からの応答として送信することによって、機器Ａ１０１は、ゲートウェイ１０３を経由してサーバー１０５への通信が可能となり、コストダウンや開発期間の短縮を図ることが可能となる。
【００３０】
また、機器Ｂ１０２のブラウザ３０１は、ブラウザ認証画面上で、認証識別情報及びパスワードを受け付けることにより、ゲートウェイ１０３から求められる認証情報が変化しても、それに柔軟に対応することができる。
【００３１】
（その他の実施の形態）
実施の形態１は、ホテルの客室などからインターネットへ接続する場合の例であるが、インターネット上から、ＶＰＮなどで保護された特定のドメイン内にアクセスする際に認証が必要な場合でも同様に実現可能である。
【００３２】
実施の形態１では、機器Ａ１０１と機器Ｂ１０２とを無線ＬＡＮで接続し、機器Ａ１０１とゲートウェイ１０３とを有線ＬＡＮで接続する形態について説明したが、接続形態は、有線、無線いずれの方式を用いても構わない。また、有線の接続形態も、ＬＡＮに限らず、ＵＳＢや、ＩＥＥＥ１３９４等どのような形態であってもよく、無線の接続形態も、無線ＬＡＮのＩＥＥＥ８０２．１１ａ、１１ｂ、１１ｇ等の規格に準拠したものや、ＷｉＭＡＸ等どのようなものであってもよい。
【００３３】
実施の形態１では、有線ＬＡＮ制御部、無線ＬＡＮ制御部を別々のデバイスとして構成しているが、一つの物理デバイスを仮想的に２つのデバイスとして動作させても同様の効果が得られる。
【００３４】
実施の形態１では、Ｐｒｏｘｙサーバー部２０３はユーザーの操作により起動するようになっているが、機器起動と同時にＰｒｏｘｙサーバー機能を起動する構成も可能である。
【００３５】
実施の形態１では転送制御部としてＰｒｏｘｙ機能を用いているが、ルーター機能を用いても同様の効果が得られる。
【００３６】
実施の形態１ではデータ転送のプロトコルとしてＦＴＰを用いたが、ＳＳＨ（Ｓｅｃｕｒｅ  ＳＨｅｌｌ）やＳＭＢ（Ｓｅｒｖｅｒ  Ｍｅｓｓａｇｅ  Ｂｌｏｃｋ、またはＳＡＭＢＡ）、ＷｅｂＤＡＶ（Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）など他のプロトコルを用いた場合でも同様である。
【産業上の利用可能性】
【００３７】
本実施の形態にかかる通信システムおよび電子機器は、ブラウザ機能やインターネット接続用のユーザーインターフェース機能を搭載する必要がなくなり、コストダウンや開発期間の短縮を図ることが可能となり、ビデオカメラ等の機器に適用することができ、有用である。
【符号の説明】
【００３８】
１０１  機器Ａ
１０２  機器Ｂ
１０３  ゲートウェイ
１０４  インターネット
１０５  サーバー
２０１  ＦＴＰクライアント
２０２  ファイル格納部
２０３  Ｐｒｏｘｙサーバー部
２０４  有線ＬＡＮ制御部
２０５、３０２  無線ＬＡＮ制御部
２０６  操作部
３０１  ブラウザ
【図１】
2011134032.tif 000003
【図２】
2011134032.tif 000004
【図３】
2011134032.tif 000005
【図４】
2011134032.tif 000006